(57)【要約】【課題】長期間取扱液中に設置した場合でも、ポンプ脚がポンプケーシングから外れないようにしたポンプ装置を提供する。【解決手段】ＰＰＳ、ＰＰ又はＰＡを含む樹脂からなるポンプケーシング４に、ゴム製のポンプ脚１５を取り付けたポンプ装置において、ステンレス鋼材などの耐食性の高い締結具１６によってポンプ脚１５をポンプケーシング４の下面に形成された脚部４ｂに取り付けた。【選択図】　　　図１
2004011474.tif 000002
【特許請求の範囲】
【請求項１】
樹脂製のポンプケーシングに、ゴム製のポンプ脚を取り付けたポンプ装置において、
前記ポンプ脚を前記ポンプケーシングに締結具によって取り付けたことを特徴とするポンプ装置。
【請求項２】
前記締結具をステンレス鋼により形成したことを特徴とする請求項１に記載のポンプ装置。
【請求項３】
前記ポンプケーシングは、ＰＰＳ、ＰＰ又はＰＡを含む樹脂からなることを特徴とする請求項１又は２に記載のポンプ装置。
【発明の詳細な説明】
【０００１】
【発明の属する技術分野】
本発明は、ポンプ装置に係り、特に、樹脂製のポンプケーシング等を備え、ゴム製のポンプ脚により支持されたポンプ装置に関するものである。
【０００２】
【従来の技術】
取扱液の取水や排水などに使用されるポンプ装置として、ポンプケーシングなどの構成部材に樹脂を使用したポンプ装置が知られている。構成部材に樹脂を使用することで、取扱液による部材の腐食が防止され、また、ポンプ装置の軽量化が実現される。このようなポンプ装置には、ポンプ装置が設置される設置床から樹脂製の構成部材を保護するためにゴム製のポンプ脚が取り付けられている。
【０００３】
この種の従来のポンプ装置を図３に示す。図３は水中に設置される従来のポンプ装置の下部を示す断面図である。
図３において、羽根車１、上部ポンプケーシング３、下部ポンプケーシング４、メカニカルシール１２を保持するメカニカルシールカバー１１などは樹脂により形成されている。本ポンプ装置は、使用の際には取扱液中に配置され、主軸２を介して図示しないモータにより羽根車１を回転駆動することにより、下部ポンプケーシング４に形成された吸込口４ａから取扱液を吸い込み、吐出流路６を通って吐出側に取扱液を排出するようになっている。
【０００４】
このポンプ装置は、設置床（図示せず）から樹脂製の下部ポンプケーシング４を保護するための緩衝材として、ゴム製のポンプ脚１５を備えている。このポンプ脚１５は下部ポンプケーシング４の下面に形成された複数の脚部４ｂのそれぞれに取り付けられ、接着剤によって下部ポンプケーシング４に固着されている。即ち、図３に示すように、脚部４ｂには、ポンプ脚１５を取り付けるための取付用穴４ｃが形成されており、ポンプ脚１５に接着剤を塗布した後、ポンプ脚１５を取付用穴４ｃに嵌入することにより下部ポンプケーシング４に取り付けられている。
【０００５】
【発明が解決しようとする課題】
しかしながら、取扱液中に設置されるようなポンプ装置にあっては、ポンプ脚は長期間取扱液に浸漬されるため、ポンプ脚を接合している接着剤が剥れ、下部ポンプケーシングからポンプ脚が外れてしまうことがあった。また、一般に、樹脂とゴムとは接着剤の接合性が悪く、ポンプ装置の運搬中などにポンプ脚が外れてしまうといった問題があった。更に、ポンプ脚に接着剤を塗布する作業は、一般に手間がかかり、また、接着剤を乾燥させるための時間が必要となるために作業時間が長くなるという問題も生じていた。
【０００６】
本発明は、上記事情に鑑みて為されたもので、ポンプ脚がポンプケーシングから外れないようにしたポンプ装置を提供することを目的とする。
【０００７】
【課題を解決するための手段】
上述した従来の問題点を解決するために、請求項１に記載の本発明は、樹脂製のポンプケーシングに、ゴム製のポンプ脚を取り付けたポンプ装置において、前記ポンプ脚を前記ポンプケーシングに締結具によって取り付けたことを特徴とする。これにより、ポンプ脚の取り付けを強固にすることができ、その結果、長時間取扱液に浸漬させた場合やポンプ装置の運搬中に、ポンプケーシングからポンプ脚が外れてしまうことを防止することが可能となる。また、ポンプ脚に接着剤を塗布する作業工程を省くことができると共に、接着剤を乾燥させるための時間が省かれるので、作業性の向上及び作業時間の短縮化を図ることが可能となる。
【０００８】
請求項２に記載の本発明は、前記締結具をステンレス鋼により形成したことを特徴とする。これにより、ポンプ脚を長期間取扱液中に浸漬させた場合でも、締結具が錆びてしまうことを防ぐことができ、その結果、ポンプ脚のポンプケーシングへの固着を更に確実とすることが可能となる。
【０００９】
請求項３に記載の本発明は、前記ポンプケーシングは、ＰＰＳ、ＰＰ又はＰＡを含む樹脂からなることを特徴とする。
【００１０】
【発明の実施の形態】
次に、本発明の実施の形態について図面を参照して説明する。
図１は本実施形態に係るポンプ装置の下部を示す断面図である。
【００１１】
図１に示すように、本実施形態に係るポンプ装置は、羽根車１と、該羽根車１が固定される主軸２と、羽根車１が収容される上部ポンプケーシング３及び下部ポンプケーシング４とを備えている。本実施形態においては、羽根車１、上部ポンプケーシング３、下部ポンプケーシング４は、いずれも樹脂により形成され、取扱液による腐食の防止やポンプ装置の軽量化が図られている。なお、使用される樹脂としては、ポリフェニレンサルファイド（ＰＰＳ）、ポリプロピレン（ＰＰ）、ポリアミド（ＰＡ）などを含む樹脂が好適である。
【００１２】
羽根車１は、主軸２の下端に固定され、主軸２を介して図示しない軸受により回転自在に支承されている。主軸２は図示しないモータに連結されており、このモータにより主軸２を介して羽根車１が回転駆動されるようになっている。羽根車１の上方には樹脂製のメカニカルシールカバー１１を介してメカニカルシール１２が配置されている。このメカニカルシール１２を配置することによって、羽根車１により吸い込まれた取扱液が主軸２を伝ってモータ側に漏洩してしまうことが防止される。
【００１３】
上部ポンプケーシング３はメカニカルシールカバー１１の下端に取り付けられ、更に、上部ポンプケーシング３の下端には下部ポンプケーシング４が取り付けられている。そして、メカニカルシールカバー１１と、上部ポンプケーシング３と、下部ポンプケーシング４とによりケーシング室５が形成され、このケーシング室５に羽根車１が収容されている。下部ポンプケーシング４の下面には取扱液を吸い込むための吸込口４ａが形成され、ケーシング室５の側面の一部には吐出流路６が形成されている。また、上部ポンプケーシング３に形成された吐出流路６の吐出側開口部には樹脂製の相フランジ７が取り付けられ、この相フランジ７に吐出配管（図示せず）が接続される。なお、本実施形態では、上部ポンプケーシング３と下部ポンプケーシング４とに分割されたポンプケーシングを用いているが、これらが一体形成されたポンプケーシングを用いてもよく、あるいは、メカニカルシールカバー１１と上部ケーシング３が一体形成されたポンプケーシングを用いてもよい。
【００１４】
上述のように構成された本実施形態に係るポンプ装置は、使用の際には取扱液中に配置される。そして、モータにより羽根車１を回転駆動することにより、取扱液が吸込口４ａから吸い込まれ、吸い込まれた取扱液はケーシング室５内で昇圧された後、吐出流路６を通過して吐出配管に吐出されるようになっている。
【００１５】
また、本実施形態に係るポンプ装置は、図１に示すように、ポンプ装置を支持するポンプ脚１５を備えており、このポンプ脚１５は、締結具であるタッピングねじ１６によって下部ポンプケーシング４に固定されている。ポンプ脚１５はゴムにより形成されており、樹脂により形成された下部ポンプケーシング４を設置床（図示せず）から保護するための緩衝材として機能している。
このポンプ脚１５について図２を参照して説明する。図２は本実施形態に係るポンプ装置が備えるポンプ脚の組立図である。
【００１６】
図２に示すように、ポンプ脚１５には、径の異なる通孔１５ａ，１５ｂが同軸上に形成されており、径の小さい通孔１５ａはねじ軸部１６ａが嵌合するように、径の大きい通孔１５ｂはねじ頭１６ｂが嵌合するように形成されている。一方、下部ポンプケーシング４の下面にはポンプ脚１５を取り付けるための脚部４ｂが４箇所（図１では３箇所を示す）形成されており、脚部４ｂのそれぞれにはポンプ脚１５が嵌入する取付用穴４ｃが形成されている。更に、この取付用穴４ｃの内部には、タッピングねじ１６が螺着する螺着穴４ｄが形成されている。
【００１７】
ポンプ脚１５の取り付けは、取付用穴４ｃにポンプ脚１５を嵌入させた後、通孔１５ａ，１５ｂにタッピングねじ１６を挿通させ、タッピングねじ１６を螺着穴４ｄに螺着させることによってポンプ脚１５が下部ポンプケーシング４に固定される。ここで、タッピングねじ１６に使用される材質としては、耐食性の高いステンレス鋼などが好適である。なお、本実施形態では、締結具としてタッピングねじを用いたが、ボルトなど他の締結具であってもよい。
【００１８】
本実施形態に係るポンプ装置は、上述したように、取扱液中に設置されるため、ポンプ脚１５は長期間取扱液中に浸漬された状態となる。このような使用状況下でも、ポンプ脚１５はタッピングねじ１６によって下部ポンプケーシング４に強固に固着されているので、容易に外れることがない。また、例えばステンレス鋼により形成されたタッピングねじを使用すれば、取扱液によるタッピングねじの腐食を防止することができ、これにより、ポンプ脚１５の固着を更に確実にすることが可能となる。
【００１９】
また、ポンプ脚１５に接着剤を塗布する作業工程が省けるため、作業労力が低減され、更に、接着剤を乾燥させるための時間を省略できるため、作業時間を短縮させることが可能となる。
【００２０】
【発明の効果】
以上述べたように、本発明によれば、ゴム製のポンプ脚を締結具により樹脂製のポンプケーシングに取り付けたことでポンプ脚の取り付けを強固にすることができる。その結果、長時間取扱液に浸漬させた場合やポンプ装置の運搬中に、ポンプケーシングからポンプ脚が外れてしまうことを防止することが可能となる。また、ポンプ脚に接着剤を塗布する作業工程を省くことができると共に、接着剤を乾燥させるための時間が省かれるので、作業性の向上及び作業時間の短縮化を図ることが可能となる。
【００２１】
更に、締結具をステンレス鋼により形成すれば、ポンプ脚を長期間取扱液中に浸漬させた場合でも、締結具が錆びてしまうことを防ぐことができ、その結果、ポンプ脚のポンプケーシングへの固着を更に確実とすることが可能となる。
【図面の簡単な説明】
【図１】本発明の一実施形態に係るポンプ装置の下部を示す断面図である。
【図２】本発明の一実施形態に係るポンプ装置が備えるポンプ脚の組立図である。
【図３】水中に設置される従来のポンプ装置の下部を示す断面図である。
【符号の説明】
１　　　羽根車
２　　　主軸
３　　　上部ポンプケーシング
４　　　下部ポンプケーシング
５　　　ケーシング室
６　　　吐出流路
７　　　相フランジ
１１　　　メカニカルシールカバー
１２　　　メカニカルシール
１５　　　ポンプ脚
１６　　　タッピングねじ（締結具）
【図１】
2004011474.tif 000003
【図２】
2004011474.tif 000004
【図３】
2004011474.tif 000005